【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
印刷結果の確認、及び／又は印刷条件の変更のために利用することが可能な確認プリント機能による印刷を印刷手段によって自動的に実行させる制御手段を有し、
前記制御手段は、
前記印刷手段による印刷対象のジョブが、前記確認プリント機能による印刷を前記印刷手段によって自動的に実行させるための条件を満足することに応じて、前記確認プリント機能による印刷を前記印刷手段によって自動的に実行させることを特徴とする印刷システム。
【請求項２】
請求項１記載の印刷システムであって、
前記制御手段は、
前記印刷手段による印刷対象のジョブの印刷データを用いて前記確認プリント機能による印刷を前記印刷手段によって自動的に実行させることを特徴とする印刷システム。
【請求項３】
請求項１又は２記載の印刷システムであって、
前記制御手段は、
前記印刷手段による印刷対象のジョブの印刷の途中で前記確認プリント機能による印刷を前記印刷手段によって自動的に実行させることを特徴とする印刷システム。
【請求項４】
請求項１乃至３の何れか１項に記載の印刷システムであって、
前記制御手段は、
前記印刷手段による印刷対象のジョブが、印刷を完了するために前記条件として予め定められた規定枚数以上の印刷媒体を要さないジョブである場合に、当該ジョブの印刷の途中で前記確認プリント機能による印刷を前記印刷手段によって自動的に実行すること無しに、
前記印刷手段による印刷対象のジョブが、印刷を完了するために前記規定枚数以上の印刷媒体を要するジョブである場合に、当該ジョブの印刷の途中で前記確認プリント機能による印刷を前記印刷手段によって自動的に実行可能にすることを特徴とする印刷システム。
【請求項５】
請求項１乃至４の何れか１項に記載の印刷システムであって、
前記制御手段は、
前記印刷手段による印刷対象のジョブが、印刷を完了するために前記条件として予め定められた規定時間以上の時間を要さないジョブである場合に、当該ジョブの印刷の途中で前記確認プリント機能による印刷を前記印刷手段によって自動的に実行すること無しに、
前記印刷手段による印刷対象のジョブが、印刷を完了するために前記規定時間以上の時間を要する場合に、当該ジョブの印刷の途中で前記確認プリント機能による印刷を前記印刷手段によって自動的に実行可能にすることを特徴とする印刷システム。
【請求項６】
請求項１乃至５の何れか１項に記載の印刷システムであって、
前記制御手段は、
前記印刷手段による印刷対象のジョブが、前記条件として予め定められた排出先であって後処理装置の内部に具備される特定の排出先に印刷物を出力する必要が無いジョブである場合に、当該ジョブの印刷の途中で前記確認プリント機能による印刷を前記印刷手段によって自動的に実行すること無しに、
前記印刷手段による印刷対象のジョブが、前記特定の排出先に印刷物を出力する必要があるジョブである場合に、当該ジョブの印刷の途中で前記確認プリント機能による印刷を前記印刷手段によって自動的に実行可能にすることを特徴とする印刷システム。
【請求項７】
請求項１乃至６の何れか１項に記載の印刷システムであって、
前記制御手段は、
前記印刷手段による印刷対象のジョブが、前記条件として予め定められた種類の後処理であって複数の工程からなる特定種類の後処理を行う必要が無いジョブである場合に、当該ジョブの印刷の途中で前記確認プリント機能による印刷を前記印刷手段によって自動的に実行すること無しに、
前記印刷手段による印刷対象のジョブが、前記特定種類の後処理を行う必要があるジョブである場合に、当該ジョブの印刷の途中で前記確認プリント機能による印刷を前記印刷手段によって自動的に実行可能にすることを特徴とする印刷システム。
【請求項８】
請求項１乃至７の何れか１項に記載の印刷システムであって、
前記制御手段は、
前記印刷手段による印刷対象のジョブが、前記条件として予め定められた特定種類の消耗材を用いる必要が無いジョブである場合に、当該ジョブの印刷の途中で前記確認プリント機能による印刷を前記印刷手段によって自動的に実行すること無しに、
前記印刷手段による印刷対象のジョブが、前記特定種類の消耗材を用いる必要があるジョブである場合に、当該ジョブの印刷の途中で前記確認プリント機能による印刷を前記印刷手段によって自動的に実行可能にすることを特徴とする印刷システム。
【請求項９】
請求項１乃至８の何れか１項に記載の印刷システムであって、
前記制御手段は、
前記印刷手段による印刷対象のジョブが、前記印刷手段を具備する印刷装置に具備される原稿読取手段によって読取られる原稿の印刷データの印刷を要するジョブである場合に、当該ジョブの印刷の途中で前記確認プリント機能による印刷を前記印刷手段によって自動的に実行すること無しに、
前記印刷手段による印刷対象のジョブが、前記条件として予め定められたタイプの印刷ジョブであって前記印刷手段を具備する印刷装置とデータ通信可能な装置から送信される印刷データの印刷を要するジョブである場合に、当該ジョブの印刷の途中で前記確認プリント機能による印刷を前記印刷手段によって自動的に実行可能にすることを特徴とする印刷システム。
【請求項１０】
請求項１乃至９の何れか１項に記載の印刷システムであって、
前記印刷手段による印刷対象のジョブの途中で前記確認プリント機能による印刷を自動的に行う場合に、
前記制御手段は、
前記確認プリント機能による印刷を予め定められた間隔でもって繰り返し前記印刷手段によって自動的に実行させることを特徴とする印刷システム。
【請求項１１】
請求項１０記載の印刷システムであって、
前記制御手段は、
前記条件として予め定められた規定枚数よりも少ない値の特定枚数分の印刷を前記ジョブにて行う度に、当該ジョブの印刷にかわって、前記確認プリント機能による印刷を前記印刷手段によって自動的に実行させることを特徴とする印刷システム。
【請求項１２】
請求項１０記載の印刷システムであって、
前記制御手段は、
前記条件として予め定められた規定時間よりも短い値の特定時間分の印刷を当該ジョブにて行う度に、当該ジョブの印刷にかわって、前記確認プリント機能による印刷を前記印刷手段によって自動的に実行させることを特徴とする印刷システム。
【請求項１３】
請求項１乃至１２の何れか１項に記載の印刷システムであって、
前記制御手段は、
前記印刷手段による印刷対象のジョブの途中で前記確認プリント機能による印刷を自動的に行うにあたり当該ジョブの印刷を何枚行ったら前記確認プリント機能による印刷を自動的に行うのかを決定するために、枚数を指定する第１の指示がユーザインタフェースを介してユーザにより予め入力されている場合に、
当該第１の指示に従って前記確認プリント機能による印刷を前記印刷手段によって自動的に実行可能にし、
前記制御手段は、
前記印刷手段による印刷対象のジョブの途中で前記確認プリント機能による印刷を自動的に行うにあたり当該ジョブの印刷を何分行ったら前記確認プリント機能による印刷を自動的に行うのかを決定するために、時間を指定する第２の指示がユーザインタフェースを介してユーザにより予め入力されている場合に、
当該第２の指示に従って前記確認プリント機能による印刷を前記印刷手段によって自動的に実行可能にすることを特徴とする印刷システム。
【請求項１４】
請求項１乃至１３の何れか１項に記載の印刷システムであって、
前記制御手段は、
前記印刷手段による印刷対象のジョブの途中で前記確認プリント機能による印刷を自動的に行うことを禁止する要求が、ユーザインタフェースを介してユーザにより予め入力されている場合、
前記印刷手段による印刷対象のジョブの途中で前記確認プリント機能による印刷を自動的に行うことを禁止することを特徴とする印刷システム。
【請求項１５】
請求項１乃至１４の何れか１項に記載の印刷システムであって、
前記制御手段は、
前記条件を満足しないことに応じて前記印刷手段による印刷対象のジョブの途中で前記確認プリント機能による印刷を自動的に行うことを禁止する場合においても、
当該ジョブの印刷を前記印刷手段によって実行している最中に前記確認プリント機能による印刷要求がユーザインタフェースを介してユーザにより入力された場合には、
当該ジョブの印刷の途中で前記確認プリント機能による印刷を前記印刷手段によって実行可能にする、
ことを特徴とする印刷システム。
【請求項１６】
請求項１乃至１５の何れか１項に記載の印刷システムであって、
前記印刷システムは、
前記条件を満足することに応じて前記確認プリント機能による印刷を自動的に実行する第１のモードと、
前記印刷手段により印刷を実行している最中に前記確認プリント機能による印刷要求がユーザインタフェースを介してユーザにより入力されたことに応じて、前記確認プリント機能による印刷を実行する第２のモードを有することを特徴とする印刷システム。
【請求項１７】
請求項１６記載の印刷システムであって、
前記制御手段は、
前記第１のモードに従って前記確認プリント機能による印刷を実行する場合でも、
前記第２のモードに従って前記確認プリント機能による印刷を実行する場合でも、
前記印刷手段により印刷対象となるジョブの印刷の途中で当該ジョブの印刷にかわって実行される前記確認プリント機能による印刷で得られる印刷物を、当該ジョブの印刷に利用される排出先とは異なる排出先に対して出力可能にする、ことを特徴とする印刷システム。
【請求項１８】
請求項１６又は１７記載の印刷システムであって、
前記制御手段は、
前記第１のモードに従って前記確認プリント機能による印刷を実行する場合でも、
前記第２のモードに従って前記確認プリント機能による印刷を実行する場合でも、
特定種類の後処理装置の内部に具備される排出先に対して前記確認プリント機能による印刷で得られる印刷物を出力すること無しに、
前記特定種類の後処理装置の外部に具備される排出先に対して前記確認プリント機能による印刷で得られる印刷物を出力可能にする、
ことを特徴とする印刷システム。
【請求項１９】
請求項１６乃至１８の何れか１項に記載の印刷システムであって、
前記制御手段は、
前記第１のモードに従って前記確認プリント機能による印刷を実行する場合でも、
前記第２のモードに従って前記確認プリント機能による印刷を実行する場合でも、
前記印刷手段により印刷対象となるジョブの印刷の途中で当該ジョブの印刷にかわって前記確認プリント機能による印刷を前記印刷手段によって実行させた後に当該ジョブの印刷を前記印刷手段によって自動的に再開可能にする、
ことを特徴とする印刷システム。
【請求項２０】
請求項１９記載の印刷システムであって、
前記制御手段は、少なくとも、
前記第２のモードに従って前記確認プリント機能による印刷を実行するのに先立って、前記ジョブの印刷を自動的に再開させることを禁止する指示がユーザインタフェースを介してユーザにより予め入力されている場合は、
前記確認プリント機能による印刷を前記印刷手段によって実行させた後に、当該ジョブの印刷を前記印刷手段によって自動的に再開することを禁止する、
ことを特徴とする印刷システム。
【請求項２１】
請求項１乃至２０の何れか１項に記載の印刷システムであって、
前記制御手段は、前記印刷手段を具備する印刷装置に具備されることを特徴とする印刷システム。
【請求項２２】
請求項１乃至１９の何れか１項に記載の印刷システムであって、
前記制御手段は、前記印刷手段を具備する印刷装置とデータ通信可能な他の装置に具備されることを特徴とする印刷システム。
【請求項２３】
印刷結果の確認及び／又は印刷条件の変更のために利用することが可能な確認プリント機能による印刷を印刷手段によって自動的に実行させる印刷システムの制御方法であって、
前記制御方法は、
前記印刷手段による印刷対象のジョブが前記確認プリント機能による印刷を前記印刷手段によって自動的に実行させるための条件を満足することに応じて、前記確認プリント機能による印刷を前記印刷手段によって自動的に実行させることを特徴とする印刷システムの制御方法。
【手続補正２】
【補正対象書類名】明細書
【補正対象項目名】発明の名称
【補正方法】変更
【補正の内容】
【発明の名称】印刷システム、印刷システムの制御方法
【手続補正３】
【補正対象書類名】明細書
【補正対象項目名】０００１
【補正方法】変更
【補正の内容】
【０００１】
本発明は、印刷システム、印刷システムの制御方法に関するものである。